(57)【特許請求の範囲】
【請求項１】
多数の縦材と横材とが交差部で接合された格子状のパネル同士を連結するための連結部材であって、
前記連結部材は、連結されるパネルの側端部の交差部同士が間に位置する受け部材と押さえ部材とを有し、かつ、
前記連結される一方のパネルの交差部を構成する横材の上方を横切る第１の上部材と、他方のパネルの交差部を構成する横材の上方を横切る第２の上部材とを備え、
前記受け部材と押さえ部材とは係脱可能に係合され、
前記第１の上部材は、前記受け部材と押さえ部材とのいずれかに設けられ、
前記第２の上部材は、前記受け部材と押さえ部材とのいずれかに設けられるとともに、
前記２個の上部材間に前記連結される２個のパネルの交差部を構成する２個の縦材が位置するようになされ、
前記押さえ部材は、その上部から突出する係合片と、前記係合片の先端に形成された抜け止め部とを有する係合部を備え、
前記受け部材には、前記係合部が前後に貫通可能な係止孔が形成され、
前記係合部を所定の角度に傾けた時に前記抜け止め部が前記係止孔を通過可能となるようになされた
ことを特徴とする連結部材。
【請求項２】
前記連結部材は、連結される一方のパネルの交差部を構成する横材の下方を横切る第１の下部材と、他方のパネルの交差部を構成する横材の下方を横切る第２の下部材とを備えていることを特徴とする請求項１に記載の連結部材。
【請求項３】
設置面に間隔をおいて立設された支柱の間に、多数の縦材と横材とが格子状に接合されたパネルが左右方向に複数連続して取付けられ、隣り合うパネル同士が請求項１又は２に記載の連結部材を介して連結されていることを特徴とするフェンス。
【発明の詳細な説明】
【技術分野】
【０００１】
本発明は、格子状の２個のパネルを連結するための連結部材及びこの連結部材を介してパネルを連結されたフェンスに関する。
【背景技術】
【０００２】
道路との境界、敷地同士の境界等を仕切る手段として用いられる支柱と格子状のパネルとを組み合わせたフェンスにおいて、隣り合うパネル同士を直接連続的に連結する自由柱方式のフェンスが用いられている。この方式においては、隣り合うパネルの縦材及び／又は横材を２つの連結金具を用いて前後から挟み込み、それら連結金具をボルトとナットで締結し、左右のパネル同士を連結固定していた。しかし、上記の通り、２個の連結金具、固定ボルトの少なくとも３個の部材を用いるため、パネルの隣り合う２縁部の縦材及び／又は横材の位置を合わせて、更に前後固定金具の固定ボルトの孔位置を合わせながら固定ボルトを取付ける必要があるので、作業が煩わしいものであった。
【０００３】
そこで、特許文献１には、２つの網状体を接続する網状体接続構造において、ねじ挿通穴と直線状に延びる溝状部とを有する第一の接続具と、ねじ穴と凹部とを有する第二の接続具とを有し、前記第一の接続具の前記溝状部を各網状体の前記横線に嵌合するとともに、前記第二の接続具の前記凹部内に各網状体の前記縦線が侵入するようにし、前記ねじ挿通穴に挿通した雄ねじを前記ねじ穴に螺合して締め付け、前記第一の接続具と前記第二の接続具との間に各網状体を挾持させてなる網状体接続構造が提案されている。
【０００４】
また、本出願人においても、特許文献２に示すように、支柱に格子状に組み合わせて形成されたメッシュパネルが取付けられてなるメッシュフェンスに於いて、メッシュパネルの隣り合う２縁部の縦材及び／又は横材が少なくとも一方に横材外形に対応したガイド溝の形成された一対の板状体よりなる接続金具で挟着されたことを特徴とするメッシュフェンスを提案している。
【先行技術文献】
【特許文献】
【０００５】
【特許文献１】特開２００１−２９５５１１号公報
【特許文献１】特開平１０−１２１７９１号公報
【発明の概要】
【発明が解決しようとする課題】
【０００６】
しかしながら、特許文献１の網状体接続構造は、縦材及び／又は横材の位置合わせは比較的容易であるが、第一、第二の接続具と雄ねじとの少なくとも３個の部材を必要とするので、両接続具を網状体に沿わせながら両接続具を雄ねじで締め付ける作業は、作業者１人ではやりにくいものであった。
【０００７】
本発明は、前記の如き問題点を解消し、２個のパネルを連結する際に、その連結作業を容易にする連結部材及びこの連結部材を用いたフェンスを提供せんとするものである。
【課題を解決するための手段】
【０００８】
上記目的を達成するために、本発明は次のような構成としている。
すなわち本発明に係る連結部材は、多数の縦材と横材とが交差部で接合された格子状のパネル同士を連結するための連結部材であって、前記連結部材は、連結されるパネルの側端部の交差部同士が間に位置する受け部材と押さえ部材とを有し、かつ、前記連結される一方のパネルの交差部を構成する横材の上方を横切る第１の上部材と、他方のパネルの交差部を構成する横材の上方を横切る第２の上部材とを備え、前記受け部材と押さえ部材とは係脱可能に係合され、前記第１の上部材は、前記受け部材と押さえ部材とのいずれかに設けられ、前記第２の上部材は、前記受け部材と押さえ部材とのいずれかに設けられるとともに、前記２個の上部材間に前記連結される２個のパネルの交差部を構成する２個の縦材が位置するようになされ、前記押さえ部材は、その上部から突出する係合片と、前記係合片の先端に形成された抜け止め部とを有する係合部を備え、前記受け部材には、前記係合部が前後に貫通可能な係止孔が形成され、前記係合部を所定の角度に傾けた時に前記抜け止め部が前記係止孔を通過可能となるようになされたことを特徴とするものである。
【０００９】
本発明に係る連結部材において、前記連結部材は、連結される一方のパネルの交差部を構成する横材の下方を横切る第１の下部材と、他方のパネルの交差部を構成する横材の下方を横切る第２の下部材とを備えるようにしてもよい。
【００１０】
また本発明に係るフェンスは、設置面に間隔をおいて立設された支柱の間に、多数の縦材と横材とが格子状に接合されたパネルが左右方向に複数連続して取付けられ、隣り合うパネル同士が前記連結部材を介して連結されていることを特徴とするものである。
【発明の効果】
【００１１】
本発明に係る連結部材によれば、パネル同士を連結する際、まず、受け部材と押さえ部材との間にパネルの側端部の交差部を位置させるとともに、前記交差部の横材の上方を横切るように上部材を位置させ、そして、受け部材と押さえ部材とを係合することによって、作業者が連結部材から手を離しても、前記上部材が横材に引っ掛かるので、連結部材は落下することなく、パネル同士の仮止め作業が容易であり、その後の連結部材の付け直しや位置調整も容易となる。
【００１２】
本発明に係る連結部材を、連結される一方のパネルの交差部を構成する横材の下方を横切る第１の下部材と、他方のパネルの交差部を構成する横材の下方を横切る第２の下部材とを備えるようにすれば、連結部材の受け部材と押さえ部材との間に連結されるパネルの側端部の交差部を位置させやすくなり、パネル同士をより強固に連結することができる。
【００１３】
また本発明に係るフェンスによれば、設置面に間隔をおいて立設された支柱の間に、多数の縦材と横材とが格子状に接合されたパネルが左右方向に複数連続して取付けられ、隣り合うパネル同士が前記連結部材を介して連結されているので、パネル同士の連結作業が容易となり、特にパネルを多数用いるフェンスにおいては、施工時に、まずパネル同士を連結部材で仮止めし、その後、僅かな位置調整が必要となっても、連結部材の付け直しや位置調整が容易であり、フェンスの施工作業が容易となる。
【図面の簡単な説明】
【００１４】
【図１】本発明に係るフェンスの実施の一形態を示す正面図である。
【図２】図１のＡ−Ａ断面図である。
【図３】図２において固定部材付近の拡大図である。
【図４】図１のフェンスに用いられた本発明に係る連結部材の実施の一形態を示す説明図である。
【図５】図４のＢ−Ｂ拡大断面図である。
【図６】図４の連結部材の分解説明図である。
【図７】図１のパネル同士の連結構造を示す説明図である。
【図８】図１のパネル同士の連結構造を示す他の説明図である。
【図９】本発明に係る連結部材の第二の実施形態を示す説明図である。
【図１０】図９の連結部材の分解説明図である。
【図１１】図９のＣ−Ｃ拡大断面図である。
【発明を実施するための形態】
【００１５】
次に、本発明を実施するための最良の形態について図面を参照し、具体的に説明する。
【００１６】
図１〜２は、本発明に係るフェンスＰの実施の一形態を示す説明図であって、図１は正面図、図２は図１のＡ−Ａ断面図である。フェンスＰは、左右方向に連結されたパネル２と、前記パネル２が取付けられる支柱１と、前記パネル２同士を連結するための連結部材４とから構成されている。
【００１７】
パネル２は、多数の縦材２１と横材２２とが格子状に配置されるとともに、縦材２１と横材２２とが各交差部２３で溶接等により接合されたものである。縦材２１及び横材２２は、強度的に安定しておりコストの安い鋼製の棒材が好適に用いられるが、ステンレス合金、アルミニウム合金等の他の金属からなる線材を用いてもよい。また縦材２１及び横材２２の耐食性や耐候性を高めるために、一般的にそれらの表面に金属めっきや塗装が施される。
【００１８】
支柱１は、一般には強度的に安定しておりコストの安い丸パイプ状の鋼管が用いられているが、角パイプ状の鋼管でもよく、断面Ｈ字状、Ｔ字状、ハット型の鋼材等からなるものでもよい。またステンレス合金、アルミニウム合金等の他の金属から形成されたものでもよい。かかる支柱１は、上端にキャップ１１が被されて取付けられるとともに、設置面に間隔をおいて複数立設されている。
【００１９】
支柱１に対するパネル２の取付方法は特に限定されるものではないが本形態では、パネル２は、支柱１の上部と下部の固定部材３を介して支柱１の前面に取付けられている。図３は、図１において固定部材３付近を示す拡大側面図である。固定部材３は、本形態では、一方の端部に雄ねじ部３１が形成され、もう一方の端部にＪ字状のフック部３２が形成された棒状体３３である。支柱１には、この棒状体３３を取付けるための透孔（図示せず）が取付位置に設けられており、棒状体３３がこの透孔に挿通され、棒状体３３のフック部３２に横材２２が係止され、支柱１の反対側の面より、雄ねじ部３１にナットＮが螺合されることにより、パネル２の横材２２が支柱１に締結される。かかる固定部材３は、図示しないが、パネル２の縦材２１を係止するものでもよく、また支柱１に巻き回される形態でもよい。なお、支柱１の前面とは、図１においてフェンスＰの正面側、すなわちパネル２の正面側を前面側とし、反対側を背面側として説明するが、設置時においては、設置箇所の敷地外側を前面側としてもよく、敷地内側を前面側としてもよい。
【００２０】
次に、パネル２同士の連結構造について、図４〜８を用いて詳しく説明する。
【００２１】
図４は図１においてパネル２同士の連結箇所付近の説明図、図５は図４のＢ−Ｂ拡大断面図、図６は図４の連結部材の分解説明図、図７及び図９は図１のパネル同士の連結構造を示す説明図である。本形態において、パネル２同士が連結されるとは、少なくともパネル２の側端に位置する縦材２１同士が連結部材４を介して連結されていることを含むものである。なお、図６に示すように、パネル２の側端の縦材２１を縦材２１ａとし、縦材２１ａと交差する横材２２を横材２２ａとし、縦材２１ａと横材２２ａの交差部２３を交差部２３ａとして以下説明する。
【００２２】
連結部材４は、パネル２の背面側に配置される受け部材５と、パネル２の正面側に配置される押さえ部材６とを備え、連結されるパネル２の縦材２１ａ同士は、受け部材５と押さえ部材６との間に配置している。
【００２３】
受け部材５は、図６に示すように、略平坦に形成された受け面５１を有しており、正面視において連結される縦材２１ａと受け面５１とが重合するように位置している。
【００２４】
押さえ部材６は、略平坦に形成された押さえ面６１を有しており、受け面５１と対向して配置され、正面視において連結される縦材２１ａと押さえ面６１とが重合するように位置している。
【００２５】
押さえ部材６は、押さえ面６１から略直交する方向に突出する係合部６２を備えており、この係合部６２を介して受け部材５に対して、容易に外れない嵌合状態と、嵌合状態を解除して取り外し可能な状態とを選択可能に係合することができる。
【００２６】
係合部６２は、受け部材５に対して上記のように選択可能に係合できる形態であれば、特に限定されるものではないが、本形態では、押さえ面６１の上部中央から突出して形成される薄板状の係合片６３と、係合片６３の先端に形成された抜け止め部６４とを備えている。一方、受け部材５は、係合部６２が前後に貫通可能な係止孔５２が形成されており、係合部６２を所定の角度に傾けた時に抜け止め部６４が係止孔５２を通過可能である。また、受け面５１と押さえ面６１とが略平行に位置している時は、受け部材５に対して押さえ部材６を前後方向に相対的に移動させて、その間の間隔を変更できるようになされている。
【００２７】
係合部６２は、本形態のように、押さえ面６１の上端に形成されたものであれば、作製が容易であり好ましいが、受け部材５と係合可能であって受け部材５と押さえ部材６との間に縦材２１ａが配置可能であればよいので、押さえ面６１の任意の箇所に形成することができる。また、本形態では、係合部６２を間にして二個の縦材２１ａが左右に分かれて配置されているが、二個の縦材２１ａが係合部６２の左右どちらか一方に偏って配置されていてもよい。
【００２８】
また、押さえ部材６は、押さえ面６１から係合部６２と同方向に突出する上部材６５を有している。本形態では、押さえ部材６の押さえ面６１の左右の側端部の上部から突出している。
【００２９】
そして、係合した受け部材５と押さえ部材６と間に二個の縦材２１ａが位置する状態で、左右の上部材６５が、左右の縦材２１ａに交差する横材２２ａの上方を前後方向に横切るように配置させる。これにより、作業者は、係止された受け部材５と押さえ部材６とから手を離しても、左右の上部材６５が横材２２ａに引っ掛かるため、左右のパネル２を連結した状態とすることができる。
【００３０】
また、より確実に左右の縦材２１ａを連結した状態とするには、受け面５１と押さえ面６１との間隔が最も開いて係止された状態において、上部材６５が、左右の横材２２ａの上方を前後方向に横切るように配置されていることが好ましい。なお、上部材６５は、受け部材５と係合した押さえ部材６が容易に落下しないように横材２２ａに引っ掛かればよく、上部材６５の前後方向の長さは適宜設定することができる。
【００３１】
また、本形態では、図５、図６に示すように、受け部材５と押さえ部材６とにそれぞれ前後に貫通するねじ孔５ａ、６ａを設け、両ねじ孔５ａ、６ａを貫通するボルトＢを螺入して、受け部材５と押さえ部材６との間に左右二個の縦材２１ａを挟持することによって、連結部材４を介してパネル２同士を締結するようにしている。なお、ボルトＢは、少なくともボルトＢのねじ先端側がねじ孔５ａに螺着されればよく、ねじ孔６ａは、ボルトＢのねじ部が挿通可能な単なる貫通孔でもよく、本形態のように横長孔状に形成したものでもよい。
【００３２】
上部材６５は、本形態では、押さえ部材６が備えた形態であるが、受け部材５が備えた形態でもよく、受け部材５と押さえ部材６とが一つずつ備えた形態でもよい。
【００３３】
更に、本形態では、受け部材５は、受け面５１の側端部の下部から略直交して設けられた下部材５３を備えている。下部材５３は、受け部材５と押さえ部材６とを係合させた状態において、横材２２ａの下方を前後方向に横切るようになされている。これにより、受け面５１と押さえ面６１との間には二個の縦材２１ａと、これらと交差する二個の横材２２ａが配置され、すなわち、二個の交差部２３ａが配置された状態となり、より確実にパネル２同士を連結することができる。
【００３４】
次に、パネル２同士の連結方法について、図７、図８を用いて更に詳しく説明する。まず、連結する二個のパネル２の縦材２１ａの背面側に受け部材５を配置し、二個の縦材２１ａの正面側に押さえ部材６を配置し、係合部６２を係止孔５２に挿入し、受け部材５に押さえ部材６を係合させる。これにより、作業者が連結部材４から手を離しても、上部材６５が横材２２ａに引っ掛かるので、連結部材４は落下することなく、仮止め作業が容易となり、その後の連結部材４の付け直しや位置調整も容易となる。連結作業の際、受け部材５と押さえ部材６との間に、前記２個の縦材２１ａを位置させ、その後、連結金具４の上部材６５が横材２２ａと接触する位置までが移動させてパネル２同士を仮止めしてもよく、はじめから連結部材４の上部材６５が横材２２ａと接触する位置で仮止めしてもよく、適宜選択することができる。
【００３５】
この際、下部材５３を横材２２ａよりも下方に配置し、上部材６５を横材２２ａよりも上方に配置されるような仮止め状態とすれば、連結部材４は、横材２２ａに確実に引っ掛かって落下することはない。また、受け部材５に押さえ部材６が係合させているので、ボルトＢを螺入する時に、受け部材５及び押さえ部材６が相対的に共回りせずに、作業性を向上させることができる。
【００３６】
多数のパネル２同士の締結する際は、前記のように連結部材４を用いてパネル２同士を左右方向に連続して仮止め状態とし、その後、押さえ部材６のねじ孔６ａから受け部材５のねじ孔５ａに向けてボルトＢを螺入して締結作業を行うようにすれば、フェンスＰの各パネル２間の隙間の調整等が可能となり、施工作業時に生じる僅かな誤差を吸収することができるので好ましい。また、ボルトＢによる締結作業は、パネル２同士の仮止め作業時にボルトＢの前記螺入作業を行い、その後ボルトＢを締め付ける締結作業をしてもよく、パネル２同士の仮止め時は、単に受け部材５に押さえ部材６を係合させておき、パネル２同士を左右方向に連続して仮止め作業を実施した後に、ボルトＢによる螺入作業と締結作業をしてもよい。
【００３７】
図９〜１１は、本発明に係る連結部材の第二の実施形態を示す説明図であって、図９は連結部材付近の説明図、図１０は図９の分解説明図、図１１は図９のＣ−Ｃ拡大断面図である。図１〜８に示された連結部材４と比べて、主に下部材５３と上部材６５との形態が異なっている。また、受け部材５の受け面５１は、横材２２ａの背面側を挿入可能なガイド溝５１ａを備え、押さえ部材６の押さえ面６１は、横材２２ａの前面側を挿入可能なガイド溝６１ａを備えている。なお、その他の既に説明した内容と同じ構成要素には同じ符号を付し、その説明は省略する。
【００３８】
上部材６５は、押さえ部材６の押さえ面６１の左右の側端部の上部のから突出しており、下部材５３は、受け面５１の下端部の左右の側部から略直交して設けられている。また、係合した受け部材５と押さえ部材６と間に二個の縦材２１ａが位置する状態で、左右の上部材６５が、左右の縦材２１ａに交差する横材２２ａの上方を前後方向に横切るように配置され、左右の下部材５３が、横材２２ａの下方を前後方向に横切るように配置される。
【００３９】
本形態では、横材２２ａの背面側が、ガイド溝５１ａ内に挿入された状態で連結部材４によって締結されている。これにより、締結後は、横材２２ａの上下方向への移動を抑制し、強固な締結状態を維持しやすくなる。なお、本形態では、横材２２ａは、縦材２１ａよりも背面側に配置されているので、ガイド溝５１ａ内に挿入されているが、縦材２１ａよりも前面側に配置されている場合は、図示しないが、横材２２ａの前面側がガイド溝６１ａ内に挿入されるように締結すればよい。
【００４０】
本発明に係るフェンスＰは、連結部材４を介して左右のパネル２を容易に連結することができるので、フェンスＰの施工性を高めることが可能となり、更にパネル２を左右方向に連結した既存のフェンスＰにおいても、パネル２同士の連結を強化する場合に好適に利用することができる。
【符号の説明】
【００４１】
１    支柱
１１  キャップ
２    パネル
２１、２１ａ  縦材
２２、２２ａ  横材
２３、２３ａ  交差部
３    固定部材
３１  雄ねじ部
３２  フック部
３３  棒状体
４    連結部材
５    受け部材
５ａ  ねじ孔
５１  受け面
５１ａ  ガイド溝
５２  係止孔
５３  下部材
６    押さえ部材
６ａ  ねじ孔
６１  押さえ面
６１ａ  ガイド溝
６２  係合部
６３  係合片
６４  抜け止め部
６５  上部材
Ｂ    ボルト
Ｎ    ナット
Ｐ    フェンス
【図１】
0006430876.tif 000002
【図２】
0006430876.tif 000003
【図３】
0006430876.tif 000004
【図４】
0006430876.tif 000005
【図５】
0006430876.tif 000006
【図６】
0006430876.tif 000007
【図７】
0006430876.tif 000008
【図８】
0006430876.tif 000009
【図９】
0006430876.tif 000010
【図１０】
0006430876.tif 000011
【図１１】
0006430876.tif 000012